(57)【特許請求の範囲】
【請求項１】
検査モードのための隠された機能を有する特定方向に並んだ三つの操作キーが操作パネルに設けられており、
前記三つの操作キーが、中央の操作キー及び前記中央の操作キーに対して両外の二つの操作キーで構成され、前記両外の二つの操作キーのうちの何れかの操作キーを１番目に押し、前記両外の二つの操作キーのうちの残りの操作キーを２番目に押し、前記中央の操作キーを３番目に押したことで、検査モードに入ることが可能なことを特徴とする、検査モードで検査できる機器。
【請求項２】
前記三つの操作キーは、３番目の操作キーが押されるときに１番目及び２番目に押された操作キーも押されることを特徴とする、請求項１記載の検査モードで検査できる機器。
【発明の詳細な説明】
【０００１】
【発明の属する技術分野】
この発明は、検査モードで検査できる機器に関し、特に、操作パネルの操作キーを用いて検査モードに入ることが可能な検査モードで検査できる機器に関するものである。
【０００２】
【従来の技術】
従来の検査モードで検査できる機器は、以下のようにして検査モードに入っていた。
まず、第１のものは、機器本体の部品を外して基板の特殊キーを操作して検査モードに入るものである。
【０００３】
しかしながら、上記第１のものでは、基板の部品に触れる恐れがあり、基板の故障や安全性の点で問題がある。
そのような問題のない第２のものは、検査モードのための隠された機能を有する特定方向に並んだ三つの操作キーが操作パネルに設けられており、その三つの操作キーを同時に押して検査モードに入るものである。
【０００４】
【発明が解決しようとする課題】
しかしながら、機器を使用者が掃除する場合に、雑巾等で操作パネル部分を拭くときに、その拭く方向と特定方向が合致してしまい、上記三つの操作キーが同時に押されてしまうことがある。
ゆえに、本発明は、検査モードのための隠された機能を有する特定方向に並んだ複数の操作キーが操作パネルに設けられていて、操作キーを押して検査モードに入る機器において、使用者が雑巾等で操作パネル部分を拭いても、検査モードに入りにくいようにすることが可能な検査モードで検査できる機器を提供することを課題とする。
【０００６】
【課題を解決するための手段】
＜請求項１に係る発明＞
前述した課題を解決するために講じた請求項１に係る発明の解決手段は
『検査モードのための隠された機能を有する特定方向に並んだ三つの操作キーが操作パネルに設けられており、
前記三つの操作キーが、中央の操作キー及び前記中央の操作キーに対して両外の二つの操作キーで構成され、前記両外の二つの操作キーのうちの何れかの操作キーを１番目に押し、前記両外の二つの操作キーのうちの残りの操作キーを２番目に押し、前記中央の操作キーを３番目に押したことで、検査モードに入ることが可能なことを特徴とする』ことである。
【０００７】
上記解決手段によれば、特定方向に並んだ三つの操作キーのうち、両外の一方が押され、続いて両外の他方が押され、最後に中央の操作キーが押された場合にのみ、検査モードに入る。従って、雑巾等で拭いても三つの操作キーが前記の順序で押されることは起こりにくい。
尚、操作キーは、３番目の操作キーが押されるときに、１番目及び２番目に押された操作キーが押されているか否かは問わない。例えば、３番目の操作キーが押されるまで、１番目及び２番目に押された操作キーが押され続けられてもよい。
上記検査モードで検査できる機器としては、吹きこぼれによる汚れの掃除を必要とする炊飯器やその他の調理の汚れの掃除を必要とする調理器をはじめとするガス器具が挙げられる。
【０００８】
【発明の効果】
上記発明は、上記構成であるから次の特有の効果を有する。
雑巾等での拭き方では押されにくい順番で操作キーを押して検査モードに入ることができるので、使用者が掃除したことで検査モードに誤って入ってしまうことを防止できる。
【００１０】
［その他］
＜請求項２に係る発明＞
上記請求項１に係る発明に『三つの操作キーは、３番目の操作キーが押されるときに１番目及び２番目に押された操作キーも押されることを特徴とする』ものでは、順番が上記の前提でさらに３番目の操作キーが押される際に三つ全ての操作キーが押される必要があるというさらに条件が課されることで、請求項１の発明に比べて使用者が掃除したことで検査モードに誤って入ってしまうことをより確実に防止できる。
【００１４】
【発明の実施の形態】
以下、本願発明の実施の形態を、図示例と共に説明する。
図１は、本発明の実施の形態に係る検査モードで検査できる機器としての炊飯器の操作パネルを示した図である。
操作パネル(13)には、複数の操作キー(15)が設けられ、各操作キー(15)が操作されることで、それに対応した表示を行う表示部(17)が設けられている。
【００１５】
操作キー(15)は、「炊飯／再加熱」キー(15a) と、「切」キー(15b) と、「調節」キー(15c) と、「メニュー」キー(15d) と、「分／＋」キー(15e) と、「時／−」キー(15f) と、「予約／時計」キー(15g) と、「保温／長時間」キー(15h) で構成されている。
「炊飯／再加熱」キー(15a) は、炊飯の開始、再加熱の開始、予約炊飯の開始、調理の開始、洗米おき炊飯開始のためのキーである。「切」キー(15b) は、各運転の切り、設定値の消しを行うためのキーである。「調節」キー(15c) は、ねばり、かたさ、こげめの各調整モードの切替を行うためのキーである。「メニュー」キー(15d) は、白米、お急ぎ、炊き込み、おかゆ、玄米、調理タイマーのメニュー切替を行うためのキーである。「分／＋」キー(15e) は、分の設定、調整の数字を１プラス、表示部(17)の明／暗のためのキーである。「時／−」キー(15f) は、時の設定、調整の数字を１マイナス、表示部(17)のオン／オフのためのキーである。「予約／時計」キー(15g) は、予約時間の表示、予約１と２の切替、予約時刻の確定、時計の設定、現在時刻の確定を行うためのキーである。「保温／長時間」キー(15h) は、保温の開始、通常と長時間保温の切替を行うためのキーである。
【００１６】
また、操作パネル(13)を有する炊飯器は、検査モードで種々の検査ができる機器であり、検査モードのために隠された機能を有する操作キー(15)が「炊飯／再加熱」キー(15a) 〜「保温／長時間」キー(15h) の中に含まれている。具体的には、破線の矢印で示されるように特定方向に並んだ「分／＋」キー(15e) 、「時／−」キー(15f) 、「予約／時計」キー(15g) である。
【００１７】
図２は、検査待機モードから検査モードに入り、検査が開始されるまでの操作を説明するためのフロー図である。まず、検査待機モード（ステップ（ＳＴで示す）１参照）から検査モードに入るための操作について説明する。
特定方向に並んだ順番と異なる順番で「分／＋」キー(15e) 、「時／−」キー(15f) 、「予約／時計」キー(15g) を操作して押すことにより、検査モードに入ることができるようになっている。具体的には、中央の操作キー(15)である「時／−」キー(15f) に対して両側の２つの操作キー(15)である「分／＋」キー(15e) と「予約／時計」キー(15g) のうちの「分／＋」キー(15e) を１番目に操作して押し（ＳＴ２参照）、次に「予約／時計」キー(15g) を２番目に操作して押し（ＳＴ３参照）、「時／−」キー(15f) を３番目に操作して押した（ＳＴ４参照）ことで、検査モードに入ることが可能になっている。さらに、ＳＴ５で示すように、３番目の「時／−」キー(15f) が押されたときに１番目に押された「分／＋」キー(15e) 及び２番目に押された「予約／時計」キー(15g) も押されて、３つのキーが押されることで検査モードに入るようになっている。
【００１８】
なお、ＳＴ５によって、より条件を課すことで検査モードに入りにくいようにしているが、省略されてもよい。
このような検査モードに入る（ＳＴ６参照）ための操作が行われた後、（１）強火、（２）弱火、（３）Ｔ／Ｃ値、（４）ガス漏れ等の検査が行われる。この検査のために、「分／＋」キー(15e) でモードがアップし、「時／−」キー(15f) でモードがダウンして各内容の検査が開始される。ここで、「分／＋」キー(15e) と「時／−」キー(15f) は、検査モードの内容を表示するモード内容表示用の操作キーの役割を果たしている。ただし、１番目に「分／＋」キー(15e) を押し、２番目に「予約／時計」キー(15g) を押し、３番目に「時／−」キー(15f) を押した後（３つのキーが押されている）、タイマーがオンし（ＳＴ７参照）、所定時間内に「分／＋」キー(15e) が操作されて押されると（ＳＴ８参照）、実際の検査モードでの検査が開始される（ＳＴ９参照）。
【００１９】
また、炊飯器は、点火可能な機器であるため、検査モードの内容が点火の検査の場合、具体的には、上記（１）強火、（２）弱火の場合には、点火用の操作キーである「炊飯／再加熱」キー(15a) が操作されないと検査が行われない。これは、すぐに検査モードに入って点火が行われるのは安全性の点で不十分であり、点火の検査を行う意志をもって検査が行われるべきだからである。
【００２０】
一方、ＳＴ６で検査モードに入り、ＳＴ７でタイマーがオンし、所定時間内に検査表示キーである「分／＋」キー(15e) が操作されて押されない（ＳＴ８参照）と、検査モードが解除されるようになっている（ＳＴ１０参照）。これは、条件が重なって検査モードに入っても、解除によって使用者が機器を使用できるようにしておくためである。
【００２１】
尚、検査開始後に検査者が検査モードを解除させるには、「切」キー(15b) が操作されて押されればよい。
また、上記説明では「分／＋」キー(15e) を１番目に押し、「予約／時計」キー(15g) を２番目に押し、「時／−」キー(15f) を３番目に押すようにしたが、「予約／時計」キー(15g) を１番目に押し、「分／＋」キー(15e) を２番目に押し、「時／−」キー(15f) を３番目に押すようにしてもよい。即ち、中央の操作キー(15)に対して両側の２つの操作キー(15)のうちのいずれかの操作キー(15)を１番目に押し、両側の２つの操作キー(15)のうちの残りの操作キー(15)を２番目に押し、中央の操作キー(15)を３番目に押すようにすればよい。
【００２３】
上記のような３つの操作キー(15)の押し方は、結局、３つの操作キー(15)を並んだ順番と異なる順番で押したことを意味している。これによって、炊飯器の使用者が雑巾等での拭き方では押されにくい順番で操作キー(15)を押して検査モードに入るようにしているので、使用者が吹きこぼれを掃除したことで検査モードに誤って入ってしまうことを防止できる。
【００２４】
さらに、上記までの説明では、３つの操作キー(15)を特定方向に並んだ順番と異なる順番で１番目、２番目、３番目と押すことについて説明したが、ＳＴ５の処理と同じ観点から、３番目の操作キー(15)が押されるまで１番目及び２番目の操作キー(15)が押され続けられるという条件を加えてもよい。この場合には、上記と同様により検査モードに入ってしまう誤りが生じにくいという利点がある。
【００２６】
［その他］
１．上記までの説明では、検査モードのための隠された機能を有する特定方向に並んだ３つの操作キー(15)の操作後に、４番目以上の操作を行ってもよい。
【００２７】
２．検査モードで検査できる機器として吹きこぼれによる汚れの掃除を必要とする炊飯器について説明したが、その他の調理の汚れの掃除を必要とする調理器をはじめとするガス機器でもよい。
【図面の簡単な説明】
【図１】本発明の実施の形態に係る検査モードで検査できる機器としての炊飯器の操作パネルを示した図である。
【図２】検査待機モードから検査モードに入り、検査が開始されるまでの操作を説明するためのフロー図である。
【符号の説明】
(13)・・・操作パネル
(15)・・・操作キー
(15e) ・・・「分／＋」キー
(15f) ・・・「時／−」キー
(15g) ・・・「予約／時計」キー
尚、各図中同一符号は同一又は相当部分を示す。
【図１】
0003971851.tif 000002
【図２】
0003971851.tif 000003